(57)【特許請求の範囲】
【請求項１】
第１の通信装置と複数の通信装置との間の通信における間欠受信を制御する間欠受信制御装置であって、
前記複数の通信装置を前記第１の通信装置から送信された信号を受信できるアクティブ状態に移行させる、タイミングに関する情報を含み、且つ、前記複数の通信装置のすべてに共通する間欠受信パラメータを生成し、前記生成された間欠受信パラメータを前記複数の通信装置へ送信する制御部と、
前記アクティブ状態にある前記複数の通信装置との間で送受信されるデータ信号のスケジューリングを行い、非アクティブ状態に強制的に移行させる制御信号を前記複数の通信装置へ送信するスケジューラと、
を具備する間欠受信制御装置。
【請求項２】
前記間欠受信パラメータは、前記第１の通信装置から前記複数の通信装置へ送信される制御信号についての前記複数の通信装置によるモニタリングが必須である第１の期間と、必須でない第２の期間とを規定するパラメータを含み、
前記スケジューラは、前記第１の期間の終了タイミングに合わせて前記制御信号を送信する、
請求項１に記載の間欠受信制御装置。
【請求項３】
前記スケジューラは、省電力モードでは、前記複数の通信装置へ送信されるデータ信号を目標送信電力に達するまで多重する、
請求項１又は請求項２に記載の間欠受信制御装置。
【請求項４】
前記スケジューラは、前記省電力モードでは、前記非アクティブ状態において第１の間隔で参照信号を送信し、
前記第１の間隔は、非省電力モードにおける前記参照信号の送信間隔である第２の間隔よりも長い、
請求項３に記載の間欠受信制御装置。
【請求項５】
前記第１の通信装置は、前記データ信号及び前記制御信号を増幅する送信アンプを具備し、
前記スケジューラは、前記非アクティブ状態であり且つ前記参照信号の送信タイミングでない期間において前記送信アンプを停止させる、
請求項４に記載の間欠受信制御装置。
【請求項６】
前記制御部は、前記複数の通信装置のそれぞれ宛てのデータ信号の滞留量を検出し、
前記スケジューラは、前記複数の通信装置の内で、前記検出された滞留量に基づいて前記第１の期間内に前記データ信号のスケジューリングが可能である通信装置に対しては、前記第１の期間の終了タイミングに合わせて前記制御信号を送信し、不可能である通信装置に対しては、前記滞留量が検出されなくなった時点で前記制御信号を送信する、
請求項１に記載の間欠受信制御装置。
【請求項７】
第１の通信装置と複数の通信装置との間の通信における間欠受信を制御する間欠受信制御プログラムであって、
前記複数の通信装置を前記第１の通信装置から送信された信号を受信できるアクティブ状態に移行させる、タイミングに関する情報を含み、且つ、前記複数の通信装置のすべてに共通する間欠受信パラメータを生成し、前記生成された間欠受信パラメータを前記複数の通信装置へ送信し、
前記アクティブ状態にある前記複数の通信装置との間で送受信されるデータ信号のスケジューリングを行い、非アクティブ状態に強制的に移行させる制御信号を前記複数の通信装置へ送信する、
間欠受信制御処理を制御装置に実行させる間欠受信制御プログラム。
【請求項８】
第１の通信装置と複数の通信装置との間の通信における間欠受信を制御する間欠受信制御方法であって、
前記複数の通信装置を前記第１の通信装置から送信された信号を受信できるアクティブ状態に移行させる、タイミングに関する情報を含み、且つ、前記複数の通信装置のすべてに共通する間欠受信パラメータを生成し、前記生成された間欠受信パラメータを前記複数の通信装置へ送信し、
前記アクティブ状態にある前記複数の通信装置との間で送受信されるデータ信号のスケジューリングを行い、非アクティブ状態に強制的に移行させる制御信号を前記複数の通信装置へ送信する、
間欠受信制御方法。
【発明の詳細な説明】
【技術分野】
【０００１】
本発明は、間欠受信制御装置、間欠受信制御プログラム及び間欠受信制御方法に関する。
【背景技術】
【０００２】
ＬＴＥ（Long  Term  Evolution）では、無線アクセス技術として、ＯＦＤＭ（Orthogonal  Frequency  Division  Multiplexing）をベースとした方式が規定されている。そして、ＬＴＥ（Long  Term  Evolution）によれば、下りのピーク伝送レートは１００Ｍｂ／ｓ以上であり、上りのピーク伝送レートは５０Ｍｂ／ｓ以上である高速無線パケット通信が可能となる。さらに、国際標準化団体である３ＧＰＰ（3rd  Generation  Partnership  Project）では、更なる高速通信の実現に向けて、ＬＴＥをベースとした移動通信システムであるＬＴＥ−Ａ（LTE-Advanced）の検討が始まっている。
【０００３】
また、ＬＴＥ及びＬＴＥ−Ａでは、移動局の省電力モードを実施する方法としてＤＲＸ（Discontinuous  Reception）が用いられることがある。
【０００４】
ここで、ＤＲＸについて具体的に説明する。移動局には、ＰＤＣＣＨ（Physical  Downlink  Data  Channel）のモニタが必須である第１の区間と、必須でない第２の区間とが設定される。なお、ＰＤＣＣＨは、Ｌａｙｅｒ１の信号であるＬ１信号であり、データ送受信の制御に用いられる。そして、第１の区間及び第２の区間は、周期的に設定される。そして、第１の区間及び第２の区間のペアを１周期とするサイクルは、「ＤＲＸサイクル」と呼ばれる。このＤＲＸサイクルは、アプリケーション単位ではなく、移動局単位で一意に設定される。また、第１の区間は、On  Durationと呼ばれることがある。
【０００５】
ＰＤＣＣＨのモニタが必須でない区間では、データ受信処理などの信号処理を行う必要が無いため、移動局は省電力モードに移行できる。省電力モードでは、例えば、移動局はベースバンド部の信号処理などを停止する。
【０００６】
ＤＲＸサイクルは、通信開始時に、基地局が移動局に対してＤＲＸパラメータなどを通知することにより、設定される。この通知には、Ｌ３信号であるＲＲＣ（Radio  Resource  Control）信号が用いられる。具体的には、移動局は、ＲＲＣ信号を受信し、ＲＲＣ信号に含まれるＤＲＸパラメータに従って、ＤＲＸを設定する。ＤＲＸパラメータには、例えば、long  DRX-Cycle、drx  Start  Offset、On  Duration  Timer、及びdrx-Inactivity  Timerが含まれる。
Long  DRX-Cycle：ＤＲＸサイクルの１周期の長さを規定するパラメータである。
Drx  Start  Offset：ＤＲＸサイクルのスタートを規定するパラメータである。
On  Duration  Timer：ＤＲＸサイクルの第１の区間の長さを規定するパラメータである。
drx-Inactivity  Timer：非アクティブ状態へ移行するタイミングを規定するパラメータであり、On  Durationの間に、データの送受信が行われる度にリセットされる。このdrx-Inactivity  Timerが満了したときに、非アクティブ状態へ移行する。
【０００７】
なお、long  DRX-Cycleによって設定されるＤＲＸサイクルに比べて周期の短いＤＲＸサイクルを設定することができ、このときには、drx  Short  Cycle  Timer、及び、short  DRX-CycleをＤＲＸパラメータに含めてもよい。Short  DRX-Cycleは、long  DRX-Cycleに対応し、drx  Short  Cycle  Timerは、On  Duration  Timerに対応する。
【０００８】
ここで、基本的には、On  Duration  Timer及びdrx-Inactivity  Timerのいずれもが満了していない状態では、非アクティブ状態へ移行することができない。すなわち、On  Duration  Timer及びdrx-Inactivity  Timerのいずれもが満了している状態において、移動局は省電力モードに移行することができる。
【０００９】
一方、基地局の配下には、制御対象である複数の移動局が存在する。非アクティブ状態へ移行するタイミングは移動局ごとに異なるので、いずれかのタイミングで移動局との間でデータを送受信する可能性があり、基地局が省電力モードに移行することは困難である。
【００１０】
これに対して、従来、制御対象である移動局をアイドル状態にすることにより、基地局を省電力モードにする技術がある。ここで、アイドル状態とは、基地局からの報知情報だけを受信可能な状態である。
【先行技術文献】
【特許文献】
【００１１】
【特許文献１】特開２００２−１５８６０９号公報
【発明の概要】
【発明が解決しようとする課題】
【００１２】
しかしながら、上記従来技術では、制御対象である複数の移動局の内で１つでもアイドル状態にない、つまり、基地局との間でデータを送受信可能な状態にあるときには、基地局は省電力モードに移行できず、省電力効果が小さい。
【００１３】
開示の技術は、上記に鑑みてなされたものであって、データを送受信可能な状態においても高い省電力効果を実現する間欠受信制御装置、間欠受信制御プログラム及び間欠受信制御方法を提供することを目的とする。
【課題を解決するための手段】
【００１４】
開示の態様では、第１の通信装置と複数の通信装置との間の通信における間欠受信を制御する間欠受信制御装置が、前記複数の通信装置を前記第１の通信装置から送信された信号を受信できるアクティブ状態に移行させる、タイミングに関する情報を含み、且つ、前記複数の通信装置のすべてに共通する間欠受信パラメータを生成し、前記生成された間欠受信パラメータを前記複数の通信装置へ送信する制御部と、前記アクティブ状態にある前記複数の通信装置との間で送受信されるデータ信号のスケジューリングを行い、非アクティブ状態に強制的に移行させる制御信号を前記複数の通信装置へ送信するスケジューラとを具備する。
【発明の効果】
【００１５】
開示の態様によれば、データを送受信可能な状態においても高い省電力効果を実現する。
【図面の簡単な説明】
【００１６】
【図１】図１は、実施例１の基地局装置の一例を示すブロック図である。
【図２】図２は、実施例１の移動局装置の一例を示すブロック図である。
【図３】図３は、実施例１の基地局装置の動作処理の一例を示すフローチャートである。
【図４】図４は、新規呼に関するシーケンス図である。
【図５】図５は、既存呼に関するシーケンス図である。
【図６】図６は、実施例１の移動局装置の状態と、移動局装置と基地局装置との間における信号の送受信状況との一例を示す図である。
【図７】図７は、実施例２の基地局装置の動作処理の一例の説明に供する図である。
【図８】図８は、実施例２の基地局装置の動作処理の一例の説明に供する図である。
【図９】図９は、実施例２の基地局装置の動作処理の他の例の説明に供する図である。
【図１０】図１０は、実施例３の基地局装置の動作処理の一例の説明に供する図である。
【図１１】図１１は、実施例４の基地局装置の動作処理の一例の説明に供する図である。
【図１２】図１２は、実施例５の基地局装置の一例を示すブロック図である。
【図１３】図１３は、実施例５の基地局装置の動作処理の一例の説明に供する図である。
【図１４】図１４は、間欠受信制御装置のハードウェア構成を示す図である。
【図１５】図１５は、移動局装置のハードウェア構成を示す図である。
【発明を実施するための形態】
【００１７】
以下に、本願の開示する間欠受信制御装置、間欠受信制御プログラム及び間欠受信制御方法の実施例を図面に基づいて詳細に説明する。なお、この実施例により本願の開示する間欠受信制御装置、間欠受信制御プログラム及び間欠受信制御方法が限定されるものではない。また、実施例において同一の機能を有する構成には同一の符号を付し、重複する説明は省略される。
【００１８】
［実施例１］
［基地局装置１０の構成］
図１は、実施例１の基地局装置の一例を示すブロック図である。図１において、基地局装置１０は、間欠受信制御装置２０と、無線装置４０とを有する。
【００１９】
間欠受信制御装置２０は、受信信号処理部２１と、スケジューラ２２と、送信信号処理部２３と、制御部３０とを有する。ここで、受信信号処理部２１と、スケジューラ２２と、送信信号処理部２３とは、ベースバンド部に含まれる。
【００２０】
受信信号処理部２１は、基地局装置１０のセル内に存在する移動局から送信され且つ無線装置４０を介して受信した信号に対して受信処理を施し制御部３０へ出力する。
【００２１】
具体的には、受信信号処理部２１は、受信処理部２４と、ＭＡＣ処理部２５と、Ｌ２処理部２６とを有する。
【００２２】
受信処理部２４は、無線装置４０を介して受信した信号に対して、復調処理及び復号処理を行い、得られた受信データをＭＡＣ処理部２５へ出力する。
【００２３】
ＭＡＣ処理部２５は、受信データに対してＭＡＣレイヤの処理を施し、ＭＡＣレイヤ処理後の受信データをＬ２処理部２６へ出力する。
【００２４】
Ｌ２処理部２６は、ＭＡＣレイヤ処理後の受信データに対して、ＲＬＣレイヤ処理又はＰＤＣＰレイヤ処理を含むＬ２処理を施し、Ｌ２処理後の受信データを制御部３０へ出力する。
【００２５】
制御部３０は、省電力動作の条件を満たした場合、省電力動作指示をスケジューラ２２へ出力する。省電力動作の条件とは、例えば、上位ネットワークからの指示を受け取ること、又は、検出されたトラフィック量が所定の閾値未満となることである。制御部３０は、移動局との間のトラフィック量を監視する機能を有している。
【００２６】
また、制御部３０は、ＤＲＸパラメータを決定し、当該ＤＲＸパラメータを含めたＲＲＣメッセージを送信信号処理部２３へ出力する。こうしてＤＲＸを含んだＲＲＣメッセージは、送信信号処理部２３及び無線装置４０を介して後述する移動局装置５０へ送信される。ここでは、ＤＲＸパラメータには、long  DRX-Cycle、drx  Start  Offset、及び、On  Duration  Timerが含められる。ここで、基地局装置１０と移動局装置５０との間でＤＲＸパラメータを持ち合った状態、つまり、ＲＲＣ  ｃｏｎｅｃｔｔｅｄ状態は、基地局装置１０と移動局装置５０との間でデータの送受信が可能な状態であり、アイドリング状態と区別される。
【００２７】
ここで、省電力動作の条件を満たした場合、制御部３０は、制御対象であるすべての移動局のＤＲＸパラメータを共通にする。これにより、制御対象であるすべての移動局のOn  Durationの開始タイミングが一致させられる。
【００２８】
また、制御部３０は、省電力指示をスケジューラ２２へ出力することによって制御対象であるすべての移動局を強制的に非アクティブ状態へ移行させる制御を行った後、自装置を省電力モードへ移行させる。
【００２９】
スケジューラ２２は、アクティブ状態である移動局との間で送受信されるデータの送受信スケジューリングを行う。また、スケジューラ２２は、省電力動作指示を受け取ると、ＤＲＸ  ｃｏｍｍａｎｄを制御対象であるすべての移動局へ送信する制御を行う。具体的には、スケジューラ２２は、省電力動作指示を受け取ると、後述するＭＡＣ処理部２８へ発行指示を出力する。これにより、ＭＡＣ処理部２８は、制御対象であるすべての移動局装置宛てのＤＲＸ  ｃｏｍｍａｎｄを発行する。ここでは、ＤＲＸ  ｃｏｍｍａｎｄは、制御対象であるすべての移動局装置を強制的に非アクティブ状態へ移行させる制御信号である。
【００３０】
送信信号処理部２３は、移動局へ送信されるデータ又は制御情報に対して送信処理を施し、無線装置４０を介して送信する。
【００３１】
具体的には、送信信号処理部２３は、Ｌ２処理部２７と、ＭＡＣ処理部２８と、送信処理部２９とを有する。
【００３２】
Ｌ２処理部２７は、入力された送信データに対して、ＲＬＣレイヤ処理又はＰＤＣＰレイヤ処理を含むＬ２処理を施し、Ｌ２処理後の送信データをＭＡＣ処理部２８へ出力する。
【００３３】
ＭＡＣ処理部２８は、Ｌ２処理後の送信データに対してＭＡＣレイヤの処理を施し、ＭＡＣレイヤ処理後の送信データを送信処理部２９へ出力する。また、ＭＡＣ処理部２８は、スケジューラ２２から発行指示を受け取ると、制御対象であるすべての移動局装置宛てのＤＲＸ  ｃｏｍｍａｎｄを発行し、送信処理部２９へ出力する。
【００３４】
送信処理部２９は、ＭＡＣレイヤ処理後の送信データに対して、符号化処理及び変調処理を行い、得られた信号を無線装置４０を介して送信する。
【００３５】
無線装置４０は、アンテナを介して受信した信号を間欠受信制御装置２０へ出力し、間欠受信制御装置２０から受け取った信号をアンテナを介して送信する。
【００３６】
具体的には、無線装置４０は、受信アンプ４１と、送信アンプ４２とを有する。そして、受信アンプ４１は、アンテナを介して受信した信号を増幅し間欠受信制御装置２０へ出力する。また、送信アンプ４２は、間欠受信制御装置２０から受け取った信号を増幅しアンテナを介して送信する。
【００３７】
［移動局装置５０の構成］
図２は、実施例１の移動局装置の一例を示すブロック図である。図２において、移動局装置５０は、受信部５１と、制御部５２と、送信部５３とを有する。
【００３８】
受信部５１は、基地局装置１０から送信された信号をアンテナを介して受信した信号に対して受信処理を施す。この受信処理によって得られた信号に含まれる、制御信号及びデータ信号は、制御部５２及び後段の機能部へ出力される。
【００３９】
制御部５２は、制御信号に含まれるＤＲＸパラメータを抽出し、抽出されたＤＲＸパラメータに基づいて、On  Durationの開始タイミング及び終了タイミングを特定する。また、制御部５２は、On  Durationの開始タイミングにおいて受信部５１及び送信部５３を起動させる。また、制御部５２は、On  Durationにおいてデータの送受信が行われると、その都度リセットされる、drx-Inactivity  Timerが満了するときに、受信部５１及び送信部５３を非アクティブ状態に移行させる。ただし、制御部５２は、制御信号に含まれるＤＲＸ  ｃｏｍｍａｎｄを受け取ったときには、受信部５１及び送信部５３を非アクティブ状態に移行させる。
【００４０】
送信部５３は、上りデータ信号、上り制御信号、及び上り参照信号を基地局装置１０へ送信する。
【００４１】
［基地局装置１０の動作］
以上の構成を有する基地局装置の処理動作について説明する。図３は、実施例１の基地局装置の動作処理の一例を示すフローチャートである。
【００４２】
制御部３０は、省電力動作の条件を満たしているか否かを判定する（ステップＳ１１）。
【００４３】
省電力動作の条件が満たされていると判定される場合（ステップＳ１１肯定）、制御部３０は、ＤＲＸパラメータを決定する（ステップＳ１２）。ＤＲＸパラメータは、例えば、トラフィック量を利用して決定される。具体的には、制御部３０は、トラフィック量が少ない場合、On  Duration  Timerを短くする。一方、制御部３０は、トラフィック量が多い場合、On  Duration  Timerを長くする。
【００４４】
制御部３０は、ＤＲＸパラメータを含めたＲＲＣメッセージを、送信信号処理部２３及び無線装置４０を介して移動局装置５０へ送信する（ステップＳ１３）。
【００４５】
ＤＲＸパラメータが含められたＲＲＣメッセージは、新たに通信を開始する移動局装置５０、つまり新規呼に対する場合と、既に通信を開始している移動局装置５０、つまり既存呼に対する場合とで異なる。図４は、新規呼に関するシーケンス図である。また、図５は、既存呼に関するシーケンス図である。
【００４６】
図４に示すように、新規呼の場合、まず、移動局装置５０が、ＲＲＣ  Ｃｏｎｎｅｃｔｉｏｎメッセージを基地局装置１０へ送信する。そして、基地局装置１０は、ＤＲＸパラメータを決定し、決定されたＤＲＸパラメータが含められたＲＲＣ  Ｃｏｎｎｅｃｔｉｏｎ  Ｓｅｔｕｐメッセージを移動局装置５０へ送信する。そして、移動局装置５０は、ＲＲＣ  ｃｏｎｎｅｃｔｉｏｎ  ｓｅｔｕｐ  Ｃｏｍｐｌｅｔｅメッセージを基地局装置１０へ送信する。
【００４７】
また、図５に示すように、既存呼の場合、基地局装置１０は、ＤＲＸパラメータを決定し、決定されたＤＲＸパラメータが含められたＲＲＣ  Ｃｏｎｎｅｃｔｉｏｎ  Ｒｅｃｏｎｆｉｇｕｒａｔｉｏｎメッセージを移動局装置５０へ送信する。そして、移動局装置５０は、ＲＲＣ  Ｃｏｎｎｅｃｔｉｏｎ  Ｒｅｃｏｎｆｉｇｕｒａｔｉｏｎ  Ｃｏｍｐｌｅｔｅメッセージを基地局装置１０へ送信する。
【００４８】
制御部３０は、自装置を省電力モードへ移行させる（ステップＳ１４）。
【００４９】
図６は、実施例１の移動局装置５０の状態と、移動局装置５０と基地局装置１０との間における信号の送受信状況との一例を示す図である。
【００５０】
図６上段には、基地局装置１０の制御対象である複数の移動局装置５０のすべての状態が示されている。図６上段において、移動局装置５０の状態は、ＤＲＸパラメータによって示されたタイミングで非アクティブ状態からアクティブ状態へ移行する。すなわち、このタイミングでOn  Durationが開始する。また、図６下段に示すように、On  Durationの間にデータの送受信が行われるdrx-Inactivity  Timerが再起動される。そして、基地局装置１０は、制御対象である複数の移動局装置５０のすべてに対して、所定のタイミングでＤＲＸ  ｃｏｍｍａｎｄを送信する。これにより、制御対象であるすべての移動局装置５０は、強制的に非アクティブ状態へ移行させられる。
【００５１】
以上のように本実施例によれば、間欠受信制御装置２０は、基地局装置１０と、複数の移動局装置５０との間の通信における間欠受信を制御する。そして、間欠受信制御装置２０において、制御部３０は、間欠受信パラメータであるＤＲＸパラメータを生成し、生成されたＤＲＸパラメータを複数の移動局装置５０へ送信する。そして、ＤＲＸパラメータは、複数の移動局装置５０を基地局装置１０から送信された信号を受信できるアクティブ状態に移行させる、タイミングに関する情報を含み、且つ、複数の移動局装置５０のすべてに共通する。そして、スケジューラ２２は、非アクティブ状態に強制的に移行させる制御信号であるＤＲＸ  ｃｏｍｍａｎｄを複数の移動局装置５０へ送信する。
【００５２】
こうすることで、制御対象であるすべての移動局装置５０の非アクティブ状態からアクティブ状態になるタイミング及びアクティブ状態から非アクティブ状態になるタイミングを合わせることができる。これにより、制御対象である移動局装置５０のすべてが非アクティブ状態になる期間を長くすることができる。制御対象である移動局装置５０のすべてが非アクティブ状態になる期間は基地局装置１０を省電力モードにできるので、結果として、基地局装置１０が省電力モードである期間を長くできる。従って、基地局装置１０と複数の移動局装置５０との間でＤＲＸパラメータを持ち合っている状態、つまり、データを送受信できる状態において、高い省電力効果を実現できる。
【００５３】
［実施例２］
実施例２は、ＤＲＸパラメータの送信タイミングに関する。なお、実施例２の基地局装置の主要構成は、実施例１の基地局装置１０と同様であるので、図１を援用して説明する。
【００５４】
実施例２の基地局装置１０において、スケジューラ２２は、発行指示を、On  Durationの終了タイミングに合わせてＭＡＣ処理部２８へ出力する。これにより、制御対象であるすべての移動局装置５０宛てに、ＤＲＸ  ｃｏｍｍａｎｄがＭＡＣ処理部２８から送信される。
【００５５】
また、スケジューラ２２は、データバッファ（図示せず）に滞留しているデータの量（以下では、単に、「滞留量」と呼ばれることがある）に基づいて、スケジューリングを行う。
【００５６】
具体的には、スケジューラ２２は、第１のOn  Durationの直前の非アクティブ状態及び第１のOn  Durationにおいて発生した移動局装置５０宛てのデータであり且つデータバッファに滞留している全データ対して、基本的には、第１のOn  Durationにおいてスケジューリングを行う。すなわち、スケジューラ２２は、滞留量が閾値よりも少なく、第１のOn  Durationにおいて全滞留データのスケジューリングが可能である場合には、その第１のOn  Durationにおいて全滞留データのスケジューリングを行う。
【００５７】
一方、スケジューラ２２は、滞留量が閾値以上であり、第１のOn  Durationにおいて全滞留データのスケジューリングが不可能である場合には、第１のOn  Durationにおいて可能な分だけ滞留データのスケジューリングを行う。そして、スケジューラ２２は、第１のOn  Durationの次の第２のOn  Durationにおいて、残りの滞留データのスケジューリングを行う。
【００５８】
ＭＡＣ処理部２８は、制御部３０から発行指示を受け取ると、制御対象であるすべての移動局装置５０宛てにＤＲＸ  ｃｏｍｍａｎｄを発行し、送信信号処理部２３を介して送信する。ここで、スケジューラ２２によってOn  Durationの終了タイミングに合わせて発行指示が出力されるので、ＤＲＸ  ｃｏｍｍａｎｄもOn  Durationの終了タイミングに送信される。
【００５９】
図７及び図８は、実施例２の基地局装置１０の動作処理の一例の説明に供する図である。図７及び図８において、Ｄａｔａ＃１は、ＵＥ＃１宛てのデータであり、Ｄａｔａ＃２は、ＵＥ＃２宛てのデータである。ＵＥ＃１及びＵＥ＃２は、いずれも制御対象である移動局装置５０である。ここでは、制御対象である移動局装置５０は、ＵＥ＃１及びＵＥ＃２だけであるものとする。
【００６０】
図７に示すように、ＵＥ＃１及びＵＥ＃２宛てのデータの滞留量が閾値よりも少ない場合、スケジューラ２２は、データバッファに滞留している全データ対して第１のOn  Durationにおいてスケジューリングを行う。第２のOn  Durationにおいても同様である。
【００６１】
一方、図８に示すように、ＵＥ＃１及びＵＥ＃２宛てのデータの滞留量が閾値以上である場合、スケジューラ２２は、第１のOn  Durationにおいて可能な分だけ滞留データのスケジューリングを行う。そして、スケジューラ２２は、第１のOn  Durationの次の第２のOn  Durationにおいて、残りの滞留データのスケジューリングを行う。
【００６２】
ここで、ＤＲＸ  ｃｏｍｍａｎｄは、滞留量の多少に関わらず、On  Durationの終了タイミングに送信される。
【００６３】
以上のように本実施例によれば、スケジューラ２２は、ＤＲＸ  ｃｏｍｍａｎｄを、On  Durationの終了タイミングに合わせて送信する。
【００６４】
こうすることで、On  Durationにおいてデータの送受信があった場合でも、移動局装置５０の状態をOn  Durationの終了タイミングで確実に非アクティブ状態にすることができる。
【００６５】
なお、以上の説明では、ＤＲＸ  ｃｏｍｍａｎｄは、滞留量の多少に関わらず、On  Durationの終了タイミングに送信されるものとして説明したが、これに限定されるものではない。すなわち、スケジューラ２２は、第１のOn  Durationにおいて滞留データのスケジューリングが可能な移動局装置５０に対しては、第１のOn  Durationの終了タイミングでＤＲＸ  ｃｏｍｍａｎｄを送信する。そして、スケジューラ２２は、第１のOn  Durationにおいて滞留データのスケジューリングが不可能な移動局装置５０に対しては、滞留データが無くなった時点でＤＲＸ  ｃｏｍｍａｎｄを送信する。
【００６６】
図９は、実施例２の基地局装置１０の動作処理の他の例の説明に供する図である。図９に示すように、ＵＥ＃１宛ての滞留データについては第１のOn  Durationにおいてのスケジューリングが可能である。従って、ＵＥ＃１に対しては、ＤＲＸ  ｃｏｍｍａｎｄは、第１のOn  Durationの終了タイミングで送信される。
【００６７】
一方、ＵＥ＃２宛ての滞留データについては第１のOn  Durationだけではスケジューリングすることができない。従って、ＵＥ＃２に対しては、ＤＲＸ  ｃｏｍｍａｎｄは、第１のOn  Durationの終了タイミングではなく、滞留データが無くなった時点で送信される。
【００６８】
［実施例３］
実施例３は、省電力モードのバリエーションに関する。なお、実施例３の基地局装置の主要構成は、実施例１及び実施例２の基地局装置１０と同様であるので、図１を援用して説明する。
【００６９】
実施例３の基地局装置１０において、スケジューラ２２は、任意のOn  Durationにおいて送信される複数の移動局装置５０宛てのデータに、時間が同じで且つ周波数が異なるリソースを割り当てる。すなわち、スケジューラ２２は、任意のOn  Durationにおいて送信される複数の移動局装置５０宛てのデータを周波数多重させる。この多重は、一部の移動局装置５０宛てのデータだけでは目標送信電力に満たない場合に、目標送信電力に達するまで行われる。
【００７０】
なお、スケジューラ２２は、従来と同様に、参照信号が非アクティブ状態において所定の周期Ｔ１の間隔で送信されるように、スケジューリングする。この参照信号の送信のされ方は、非省電力モードと同様である。
【００７１】
図１０は、実施例３の基地局装置１０の動作処理の一例の説明に供する図である。図１０において、Ｄａｔａ＃１は、ＵＥ＃１宛てのデータであり、Ｄａｔａ＃２は、ＵＥ＃２宛てのデータである。ＵＥ＃１及びＵＥ＃２は、いずれも制御対象である移動局装置５０である。ここでは、制御対象である移動局装置５０は、ＵＥ＃１及びＵＥ＃２だけであるものとする。
【００７２】
図１０に示すように、第１のOn  Durationにおいて、ＵＥ＃１宛てのデータのみ、又は、ＵＥ＃２宛てのデータのみでは、目標送信電力量に満たない。この場合、ＵＥ＃１宛てのデータ及びＵＥ＃２宛てのデータは、周波数多重されて送信される。なお、参照信号は、従来と同様に、非アクティブ状態において所定の周期Ｔ１の間隔で送信される。
【００７３】
以上のように本実施例によれば、スケジューラ２２は、省電力モードでは、複数の移動局装置５０へ送信されるデータを目標送信電力に達するまで多重する。
【００７４】
こうすることで、例えば、一部の移動局装置５０宛てのデータだけでは目標送信電力に満たない場合に目標送信電力量に達するまでヌルデータを挿入する等の処理を行う必要がない。このため、余分な送信電力を削減することができる。
【００７５】
［実施例４］
実施例４は、省電力モードのバリエーションに関する。なお、実施例３の基地局装置の主要構成は、実施例１から実施例３の基地局装置１０と同様であるので、図１を援用して説明する。
【００７６】
実施例４の基地局装置１０において、スケジューラ２２は、実施例３と同様に、任意のOn  Durationにおいて送信される複数の移動局装置５０宛てのデータを周波数多重させる。
【００７７】
ただし、実施例４のスケジューラ２２は、参照信号が非アクティブ状態において所定の周期Ｔ２の間隔で送信されるように、スケジューリングする。
【００７８】
図１１は、実施例４の基地局装置１０の動作処理の一例の説明に供する図である。図１１に示すように、参照信号は、非アクティブ状態においてＴ１より大きいＴ２の間隔で送信される。すなわち、実施例４のスケジューラ２２は、参照信号の送信機会を間引いている。
【００７９】
以上のように本実施例によれば、スケジューラ２２は、非アクティブ状態において間隔Ｔ２で参照信号を送信し、間隔Ｔ２は、非省電力モードにおける間隔Ｔ１よりも長い。
【００８０】
こうすることで、参照信号の送信回数を低減できるので、さらなる省電力を実現できる。
【００８１】
［実施例５］
実施例５は、省電力モードのバリエーションに関する。実施例５では、非アクティブ状態であり且つ参照信号の送信タイミングでない期間において、アンプが停止される。なお、実施例５においても、実施例４と同様に、参照信号の送信機会は間引かれる。
【００８２】
図１２は、実施例５の基地局装置の一例を示すブロック図である。図１２において、基地局装置６０は、間欠受信制御装置７０と、無線装置８０とを有する。間欠受信制御装置７０は、スケジューラ７１を有する。無線装置８０は、送信アンプ８１を有する。
【００８３】
スケジューラ７１は、基本的に、実施例４のスケジューラ２２と同様の機能を有する。そして、スケジューラ７１は、停止信号を送信アンプ８１へ出力する。この停止信号は、非アクティブ状態であり且つ参照信号の送信タイミングでない期間において送信アンプ８１を停止させる制御信号である。すなわち、停止信号は、送信アンプ８１が停止する停止期間を示す。そして、停止期間は、非アクティブ状態の期間内に存在し、且つ、参照信号の送信タイミングと重ならない。
【００８４】
送信アンプ８１は、スケジューラ７１から停止信号を受け取ると、当該停止信号の示す停止期間において停止し、停止期間以外の期間において作動する。
【００８５】
図１３は、実施例５の基地局装置１０の動作処理の一例の説明に供する図である。図１３に示すように、参照信号の２つの送信タイミングの間で送信アンプ８１が停止される。
【００８６】
以上のように本実施例によれば、スケジューラ７１は、非アクティブ状態であり且つ参照信号の送信タイミングでない期間において、送信アンプ８１を停止させる。
【００８７】
こうすることで、送信信号の無い期間において送信アンプを停止できるので、さらなる省電力を実現できる。
【００８８】
［他の実施例］
［１］実施例３から実施例５では、省電力モードのバリエーションがそれぞれ単独で実行される場合について説明したが、これに限定されるものではない。例えば、制御部３０が、受信信号処理部２１から受け取る受信信号に含まれる、移動局装置５０から送信されたパイロット信号に基づいて、移動局装置５０のフェージング周波数を推定する。このフェージング周波数の推定は、移動局装置５０ごとに行われる。
【００８９】
そして、スケジューラ７１は、制御部３０において推定されたフェージング周波数に基づいて、実施例３から実施例５で説明された省電力モードを切り替える。
【００９０】
具体的には、制御対象の複数の移動局装置５０について推定されたフェージング周波数に基づいて、高速で移動する移動局装置５０が所定の基準より多いと判定される場合には、スケジューラ７１は、実施例３で説明した省電力モードの処理を実行する。
【００９１】
また、制御対象の複数の移動局装置５０について推定されたフェージング周波数に基づいて、高速で移動する移動局装置５０が所定の基準より少ないと判定される場合には、スケジューラ７１は、実施例４で説明した省電力モードの処理を実行する。
【００９２】
また、制御対象の複数の移動局装置５０について推定されたフェージング周波数に基づいて、高速で移動する移動局装置５０が所定の基準より少ないと判定され、且つ、高速でＯＮ／ＯＦＦ動作する送信アンプ８１が搭載されている場合、次の処理が実行される。すなわち、この場合、スケジューラ７１は、実施例５で説明した省電力モードの処理を実行する。
【００９３】
［２］実施例１から実施例５で説明した間欠受信制御装置及び移動局装置は、次のようなハードウェア構成により実現することができる。
【００９４】
図１４は、間欠受信制御装置のハードウェア構成を示す図である。図１４に示すように、間欠受信制御装置１００は、ハードウェアの構成要素として、ＤＳＰ（Ｄｉｇｉｔａｌ  Ｓｉｇｎａｌ  Ｐｒｏｃｅｓｓｏｒ）１００ａと、ＦＰＧＡ（Ｆｉｅｌｄ  Ｐｒｏｇｒａｍｍａｂｌｅ  Ｇａｔｅ  Ａｒｒａｙ）１００ｂと、メモリ１００ｃと、無線ＩＦ（Ｉｎｔｅｒ  Ｆａｃｅ）部１００ｄと、ネットワークＩＦ（Ｉｎｔｅｒ  Ｆａｃｅ）部１００ｅとを有する。ＤＳＰ１００ａと、ＦＰＧＡ１００ｂとは、スイッチ等のネットワークＩＦ部１００ｅを介して各種信号やデータの入出力が可能なように接続されている。無線ＩＦ部１００ｄは、無線装置４０又は無線装置８０とＦＰＧＡとの間のインターフェイスである。メモリ１００ｃは、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等のＲＡＭ、ＲＯＭ（Ｒｅａｄ  Ｏｎｌｙ  Ｍｅｍｏｒｙ)、フラッシュメモリにより構成される。制御部３０及びベースバンド部は、例えばＤＳＰ１００ａ、ＦＰＧＡ１００ｂ等の集積回路により実現される。ベースバンド部は、上述の通り、受信信号処理部２１と、スケジューラ２２又はスケジューラ７１と、送信信号処理部２３とを含む。
【００９５】
図１５は、移動局装置のハードウェア構成を示す図である。図１５に示すように、移動局装置１１０は、ハードウェア的には、ＣＰＵ（Ｃｅｎｔｒａｌ  Ｐｒｏｃｅｓｓｉｎｇ  Ｕｎｉｔ）１１０ａと、メモリ１１０ｂと、アンテナを有するＲＦ回路１１０ｃと、ＬＣＤ（Ｌｉｑｕｉｄ  Ｃｒｙｓｔａｌ  Ｄｉｓｐｌａｙ）等の表示装置１１０ｄとを有する。メモリ１１０ｂは、例えば、ＳＤＲＡＭ等のＲＡＭ、ＲＯＭ、フラッシュメモリにより構成される。受信部５１及び送信部５３は、ＲＦ回路１１０ｃにより実現される。また、制御部５２は、例えばＣＰＵ１１０ａ等の集積回路により実現される。
【００９６】
また、実施例１から実施例５で説明した各種の処理は、予め用意されたプログラムをコンピュータで実行することで実現できる。すなわち、制御部３０及びベースバンド部によって実行される各処理に対応するプログラムがメモリ１００ｃに記録され、各プログラムがＤＳＰ１００ａ、ＦＰＧＡ１００ｂに読み出されてプロセスとして機能してもよい。また、制御部５２によって実行される各処理に対応するプログラムがメモリ１００ｂに記録され、各プログラムがＣＰＵ１１０ａに読み出されてプロセスとして機能してもよい。
【符号の説明】
【００９７】
１０，６０  基地局装置
２０，７０  間欠受信制御装置
２１  受信信号処理部
２２，７１  スケジューラ
２３  送信信号処理部
２４  受信処理部
２５，２８  ＭＡＣ処理部
２６，２７  Ｌ２処理部
２９  送信処理部
３０  制御部
４０，８０  無線装置
４１  受信アンプ
４２，８１  送信アンプ
５０  移動局装置
５１  受信部
５２  制御部
５３  送信部
【図１】
0005842715.tif 000002
【図２】
0005842715.tif 000003
【図３】
0005842715.tif 000004
【図４】
0005842715.tif 000005
【図５】
0005842715.tif 000006
【図６】
0005842715.tif 000007
【図７】
0005842715.tif 000008
【図８】
0005842715.tif 000009
【図９】
0005842715.tif 000010
【図１０】
0005842715.tif 000011
【図１１】
0005842715.tif 000012
【図１２】
0005842715.tif 000013
【図１３】
0005842715.tif 000014
【図１４】
0005842715.tif 000015
【図１５】
0005842715.tif 000016